(57)【要約】【課題】途中で退席した利用者がカラオケ歌唱する場の雰囲気を共有できるカラオケシステムを提供する。【解決手段】カラオケ装置は、ログイン処理及びログアウト処理を行う処理部、ログイン利用者画像を取得する撮影制御部、取得したログイン利用者画像をサーバ装置に送信する画像送信部を有し、サーバ装置は、利用者識別情報と端末識別情報とを関連付けて記憶する端末識別情報記憶部、カラオケ装置を介して複数の利用者がカラオケシステムにログインした後、ある利用者がログアウトをした場合、受信したログイン利用者画像を当該ある利用者の携帯端末に配信する第１の配信部を有する。【選択図】図５
2020071287.tif 000002
【特許請求の範囲】
【請求項１】
カラオケ装置とサーバ装置とが通信可能に接続されたカラオケシステムであって、
前記カラオケ装置は、
利用者からの指示入力に基づいて、前記カラオケシステムへのログイン処理、及び前記カラオケシステムからのログアウト処理を行う処理部と、
撮影装置を制御し、前記カラオケシステムにログインしている利用者を撮影したログイン利用者画像を取得する撮影制御部と、
取得した前記ログイン利用者画像を、前記サーバ装置に送信する画像送信部と、
を有し、
前記サーバ装置は、
利用者を識別するための利用者識別情報と、当該利用者が所有する携帯端末を識別するための端末識別情報とを関連付けて記憶する端末識別情報記憶部と、
前記カラオケ装置を介して複数の利用者が前記カラオケシステムにログインした後、ある利用者がログアウトをした場合、当該ある利用者の利用者識別情報に対応する前記端末識別情報に基づいて、受信した前記ログイン利用者画像を当該ある利用者の携帯端末に配信する第１の配信部と、
を有するカラオケシステム。
【請求項２】
前記画像送信部は、最初にログアウト処理が行われたときから、全ての利用者のログアウト処理が行われるまでの間、前記ログイン利用者画像を前記サーバ装置に送信することを特徴とする請求項１記載のカラオケシステム。
【請求項３】
前記撮影制御部は、最初にログアウト処理が行われたときから、全ての利用者のログアウト処理が行われるまでの間、前記ログイン利用者画像を取得することを特徴とする請求項１記載のカラオケシステム。
【請求項４】
前記ログイン利用者画像は、前記カラオケシステムにログインしている利用者がカラオケ歌唱を行う姿を撮影した歌唱動画像であることを特徴とする請求項１〜３のいずれか一つに記載のカラオケシステム。
【請求項５】
前記サーバ装置は、
前記ログイン利用者画像を配信した携帯端末から、当該携帯端末で得られたログアウト利用者画像を受信した場合、当該ログアウト利用者画像を、前記ログイン利用者画像を送信するカラオケ装置に配信する第２の配信部を有し、
前記カラオケ装置は、
配信された前記ログアウト利用者画像を表示部に表示させる表示処理部を有することを特徴とする請求項１〜４のいずれか一つに記載のカラオケシステム。
【請求項６】
前記第２の配信部は、最初にログアウト処理が行われたときから、全ての利用者のログアウト処理が行われるまでの間、前記ログアウト利用者画像を、前記ログイン利用者画像を送信するカラオケ装置に配信することを特徴とする請求項５記載のカラオケシステム。
【発明の詳細な説明】
【技術分野】
【０００１】
本発明はカラオケシステムに関する。
【背景技術】
【０００２】
カラオケ店舗等でカラオケ歌唱を行う利用者に対し、帰宅時間を考慮したサービスを提供するカラオケ装置が検討されている。
【０００３】
たとえば、特許文献１には、カラオケ店舗の最寄り駅からの帰宅ルートや当該最寄り駅の最終時刻に基づいて利用者の退店時刻を求め、当該利用者が楽曲の予約を行った際に、退店時刻までに演奏終了が可能であれば、楽曲の予約を受け付ける技術が開示されている。このような技術によれば、歌唱途中で退店しなければならないという事態を回避できる。
【先行技術文献】
【特許文献】
【０００４】
【特許文献１】特開２００６−２０８８９２号公報
【発明の概要】
【発明が解決しようとする課題】
【０００５】
複数の利用者でカラオケ歌唱を行っている場合に、遠方に住んでいるため終電が早い利用者や所用により早く帰宅する利用者等、他の利用者よりも先に退席せざるを得ない利用者もいる。このような利用者は、最後までカラオケ歌唱の場を楽しむことができない。
【０００６】
本発明の目的は、途中で退席した利用者がカラオケ歌唱する場の雰囲気を共有することが可能なカラオケシステムを提供することにある。
【課題を解決するための手段】
【０００７】
上記目的を達成するための一の発明は、カラオケ装置とサーバ装置とが通信可能に接続されたカラオケシステムであって、前記カラオケ装置は、利用者からの指示入力に基づいて、前記カラオケシステムへのログイン処理、及び前記カラオケシステムからのログアウト処理を行う処理部と、撮影装置を制御し、前記カラオケシステムにログインしている利用者を撮影したログイン利用者画像を取得する撮影制御部と、取得した前記ログイン利用者画像を、前記サーバ装置に送信する画像送信部と、を有し、前記サーバ装置は、利用者を識別するための利用者識別情報と、当該利用者が所有する携帯端末を識別するための端末識別情報とを関連付けて記憶する端末識別情報記憶部と、前記カラオケ装置を介して複数の利用者が前記カラオケシステムにログインした後、ある利用者がログアウトをした場合、当該ある利用者の利用者識別情報に対応する前記端末識別情報に基づいて、受信した前記ログイン利用者画像を当該ある利用者の携帯端末に配信する第１の配信部と、を有するカラオケシステムである。
本発明の他の特徴については、後述する明細書及び図面の記載により明らかにする。
【発明の効果】
【０００８】
本発明によれば、途中で退席した利用者がカラオケ歌唱する場の雰囲気を共有できる。
【図面の簡単な説明】
【０００９】
【図１】第１実施形態に係るカラオケシステムの概略を示す図である。
【図２】第１実施形態に係るカラオケ装置を示す図である。
【図３】第１実施形態に係るサーバ装置を示す図である。
【図４】サーバ装置で記憶される情報の例を示す図である。
【図５】第１実施形態に係るカラオケシステムの処理を示すフローチャートである。
【図６】第２実施形態に係るサーバ装置を示す図である。
【図７】第２実施形態に係るカラオケ装置を示す図である。
【図８】第２実施形態に係るカラオケシステムの処理を示すフローチャートである。
【発明を実施するための形態】
【００１０】
＜第１実施形態＞
図１〜図５を参照して、第１実施形態に係るカラオケシステムについて説明する。
【００１１】
＝＝カラオケシステム＝＝
図１に示すように、本実施形態に係るカラオケシステム１は、カラオケ装置Ｋ及びサーバ装置Ｓを備える。カラオケ装置Ｋは、カラオケ店舗内の部屋Ｒに設置されている。カラオケ装置Ｋとサーバ装置Ｓとは、ネットワークＮを介して通信可能に接続されている。ネットワークＮは、たとえば公衆電話回線網やインターネット回線等の伝送路である。
【００１２】
カラオケ装置Ｋは、楽曲のカラオケ演奏、及び利用者がカラオケ歌唱を行うための装置である。カラオケ装置Ｋは、利用者の歌唱音声を集音するマイク、カラオケ演奏音を放音するスピーカ、歌詞テロップ等を表示させるモニタ、カラオケ装置に対する各種操作入力を行うリモコン装置（いずれも図示なし）等を備える。
【００１３】
また、本実施形態に係るカラオケ装置Ｋは、撮影装置Ｃを有する。撮影装置Ｃは、たとえば広角のレンズを備えたカメラであり、カラオケ装置Ｋが設置されている部屋Ｒ内を撮影し、画像を取得する。撮影装置Ｃは、カラオケ歌唱を行う利用者の顔を追尾したり、ズームアップする等、各種機能を有していてもよい。
【００１４】
ここで、図１では、カラオケ店舗を訪れた４名の利用者（利用者Ｕ１〜利用者Ｕ４）がカラオケ装置Ｋを利用し、カラオケ歌唱を行う例を示している。各利用者は携帯端末（携帯端末Ｍ１〜携帯端末Ｍ４）を所有している。
【００１５】
携帯端末は、利用者が所有するスマートフォン等である。本実施形態に係る携帯端末には、カラオケシステム１を利用するための専用アプリケーションソフトウェア（以下、「カラオケアプリ」）がインストールされている。各携帯端末は、サーバ装置ＳとネットワークＮを介して直接、通信可能となっている。カラオケアプリは、サーバ装置Ｓや、サーバ装置Ｓが提供するＷｅｂサイトからダウンロードすることで入手できる。
【００１６】
また、携帯端末はカラオケ装置Ｋとペアリングすることで通信可能となっている。ペアリングは、たとえば、カラオケ装置Ｋが設置されたカラオケルームへ利用者Ｕ１が入室した後、携帯端末Ｍ１でカラオケアプリを起動させた場合に実行される。ペアリングされた後、利用者Ｕ１は、カラオケアプリを利用して、カラオケ装置Ｋに付属するリモコン装置と同様の操作（ログイン・ログアウトの指示入力・楽曲の予約等）を行うことができる。
【００１７】
＝＝カラオケ装置Ｋ＝＝
図２に示すように、本実施形態に係るカラオケ装置Ｋは、処理部１００、撮影制御部２００、及び画像送信部３００を有する。
【００１８】
［処理部］
処理部１００は、利用者からの指示入力に基づいて、カラオケシステム１へのログイン処理、及びカラオケシステム１からのログアウト処理を行う。
【００１９】
たとえば、図１に示した利用者Ｕ１は、部屋Ｒに入室後、携帯端末Ｍ１を介してログインの指示入力を行う。ログインの指示入力は、たとえば、自己の利用者ＩＤ及び予め設定したパスワードの入力である。処理部１００は、入力された利用者ＩＤ及びパスワードを、カラオケ装置Ｋの識別情報（装置ＩＤ）と関連付けてサーバ装置Ｓに送信する。
【００２０】
サーバ装置Ｓは、カラオケ装置Ｋから受信した利用者ＩＤ及びパスワードに対応する履歴情報（歌唱履歴、採点結果等）を記憶部１０（後述）から読み出し、受信した装置ＩＤに対応するカラオケ装置Ｋに送信する。サーバ装置Ｓが履歴情報を送信することにより、利用者Ｕ１のカラオケシステム１へのログインが完了する。サーバ装置Ｓのログイン情報記憶部１０ｂ（後述）は、ログインした利用者の利用者ＩＤを装置ＩＤと関連付けて記憶する。
【００２１】
一方、図１に示した利用者Ｕ１〜利用者Ｕ４がカラオケシステム１にログインした後、カラオケ歌唱を行っている最中に、利用者Ｕ４が帰宅するとする。この場合、利用者Ｕ４は、携帯端末Ｍ４を介してログアウトの指示入力を行う。ログアウトの指示入力は、たとえば携帯端末Ｍ４に表示されたログアウトアイコンの選択である。この場合、処理部１００は、利用者Ｕ４の利用者ＩＤをサーバ装置Ｓに送信する。
【００２２】
サーバ装置Ｓは、利用者Ｕ４の利用者ＩＤを受信した場合、利用者Ｕ４のカラオケシステム１からのログアウトを行う。なお、ログイン及びログアウトの指示入力は、カラオケ装置Ｋが備えるリモコン装置を介して行ってもよい。
【００２３】
［撮影制御部］
撮影制御部２００は、撮影装置Ｃを制御し、ログイン利用者画像を取得する。「ログイン利用者画像」は、カラオケシステム１にログインしている利用者を撮影した動画像または静止画像である。ログイン利用者画像は、カラオケシステム１にログインしている利用者がカラオケ歌唱を行う姿を撮影した歌唱動画像であることが好ましい。なお、ログイン利用者画像には、カラオケ装置Ｋを含む部屋Ｒの各種設備や、飲食物を提供するカラオケ店舗の従業員等、ログインしている利用者以外が映っていてもよい。また、歌唱動画像には、利用者の歌唱音声が含まれていてもよい。音声データは、たとえばカラオケ装置Ｋのマイクにより集音した歌唱音声に基づいて入手できる。
【００２４】
撮影制御部２００は、たとえば、複数の利用者でカラオケ装置Ｋを利用する際に、最初にログイン処理が行われたときからログイン利用者画像の取得を開始し、全ての利用者のログアウト処理が行われた場合に、ログイン利用者画像の取得を終了してもよい。或いは、撮影制御部２００は、複数の利用者がカラオケシステム１にログインした後、最初にログアウト処理が行われたときから、全ての利用者のログアウト処理が行われるまでの間のみ、ログイン利用者画像を取得してもよい。
【００２５】
［画像送信部］
画像送信部３００は、取得したログイン利用者画像をサーバ装置Ｓに送信する。
【００２６】
画像送信部３００は、撮影制御部２００がログイン利用者画像を取得する都度、当該画像を装置ＩＤと関連付けてサーバ装置Ｓに送信する。或いは、画像送信部３００は、複数の利用者がカラオケシステム１にログインした後、最初にログアウト処理が行われたときから、全ての利用者のログアウト処理が行われるまでの間、ログイン利用者画像を送信することができる。
【００２７】
＝＝サーバ装置＝＝
サーバ装置Ｓは、カラオケ装置Ｋに関する各種情報やカラオケ装置Ｋから送信される情報を管理するコンピュータである。図３はサーバ装置Ｓのハードウェア構成例を示す図である。サーバ装置Ｓは、記憶部１０、通信部２０、及び制御部３０を備える。各構成はインターフェース（図示なし）を介してバスＢに接続されている。
【００２８】
記憶部１０は、各種のデータを記憶する大容量の記憶装置である。記憶部１０は、利用者ＩＤ、パスワード、氏名、性別、履歴情報（歌唱履歴、採点結果）等を記憶する。本実施形態に係る記憶部１０の記憶領域の一部は、端末識別情報記憶部１０ａ及びログイン情報記憶部１０ｂとして機能する。
【００２９】
［端末識別情報記憶部］
端末識別情報記憶部１０ａは、利用者識別情報と、利用者が所有する携帯端末を識別するための端末識別情報（端末ＩＤ）とを関連付けて記憶する。端末識別情報は、各携帯端末に固有の情報である。端末識別情報は、たとえば、利用者ＩＤを設定する際に予め登録しておくことができる。或いは、上述のログイン処理を行う際に、処理部１００は、利用者ＩＤ等と併せて端末識別情報をサーバ装置Ｓに送信してもよい。この場合、既に登録された携帯端末から新たな携帯端末に機種変更した場合等であっても、端末識別情報記憶部１０ａは、常に最新の端末識別情報を記憶することができる。
【００３０】
［ログイン情報記憶部］
ログイン情報記憶部１０ｂは、カラオケシステム１へログインしている利用者に関する情報を記憶する。たとえば、図４に示すように、ログイン情報記憶部１０ｂは、カラオケ装置毎（装置ＩＤ毎）に、ログインしている利用者の利用者ＩＤを関連付けて記憶している。また、ログイン情報記憶部１０ｂは、カラオケ装置Ｋから送信されたログイン利用者画像を、装置ＩＤと関連付けて記憶することもできる。
【００３１】
通信部２０は、サーバ装置Ｓと各カラオケ装置とを接続するためのインターフェースを提供する。制御部３０は、サーバ装置Ｓにおける各種の制御を行う。図３に示すように、本実施形態に係る制御部３０は、第１の配信部３０ａとして機能する。
【００３２】
［第１の配信部］
第１の配信部３０ａは、カラオケ装置Ｋを介して複数の利用者がカラオケシステム１にログインした後、ある利用者がログアウトをした場合、当該ある利用者の利用者識別情報に対応する端末識別情報に基づいて、受信したログイン利用者画像を当該ある利用者の携帯端末に配信する。
【００３３】
図１の例において、カラオケ装置Ｋを介して利用者Ｕ１〜利用者Ｕ４がカラオケシステム１にログインした後、利用者Ｕ４がログアウトしたとする。この場合、カラオケ装置Ｋの処理部１００は、利用者Ｕ４の利用者ＩＤをサーバ装置Ｓに送信する。また、利用者Ｕ４のログアウトに伴い、画像送信部３００は、サーバ装置Ｓに対し、ログイン利用者画像の送信を開始する。
【００３４】
第１の配信部３０ａは、端末識別情報記憶部１０ａを参照し、利用者Ｕ４の利用者ＩＤに対応する携帯端末Ｍ４の端末ＩＤを特定する。第１の配信部３０ａは、特定した端末ＩＤに基づいて、カラオケ装置Ｋから受信したログイン利用者画像を利用者Ｕ４の携帯端末Ｍ４に配信する。利用者Ｕ４がカラオケシステム１からログアウトし、部屋Ｒから退席した後も、利用者Ｕ１〜利用者Ｕ３は、カラオケ装置Ｋを利用してカラオケ歌唱を行っている。そのため、利用者Ｕ４は、自身が退席した後、他の利用者がカラオケ歌唱する様子等を携帯端末Ｍ４の画面を通じて確認できる。
【００３５】
なお、カラオケ装置Ｋの利用時間が経過した場合、残りの利用者（上記例では利用者Ｕ１〜利用者Ｕ３）もカラオケシステム１からログアウトする。このようにカラオケ装置Ｋを利用する全ての利用者のログアウト処理が行われた場合、カラオケ装置Ｋは、ログイン利用者画像の取得及びサーバ装置Ｓへの送信を終了する。また、この場合、サーバ装置Ｓは、全ての利用者の利用者ＩＤをログイン情報記憶部１０ｂから削除する。
【００３６】
＝＝カラオケシステムにおける処理について＝＝
次に、図５を参照して本実施形態に係るカラオケシステム１における処理の具体例について述べる。図５は、カラオケシステム１における処理例を示すフローチャートである。この例では、複数の利用者でカラオケ装置Ｋを利用するとする。
【００３７】
カラオケ装置Ｋの利用にあたり、各利用者は、カラオケシステム１へのログインを行う。各利用者は、カラオケアプリを起動した自己の携帯端末を介して、ログインの指示入力を行う。
【００３８】
処理部１００は、利用者からの指示入力に基づいて、カラオケシステム１へのログイン処理を行う（各利用者のログイン処理。ステップ１０）。その後、各利用者は、カラオケ装置Ｋを利用してカラオケ歌唱を行う。
【００３９】
撮影制御部２００は、撮影装置Ｃを制御し、カラオケシステム１にログインしている利用者を撮影したログイン利用者画像を取得する（ログイン利用者画像の取得。ステップ１１）。この例において、撮影制御部２００は、カラオケ装置Ｋの利用が終了するまでログイン利用者画像を取得する。
【００４０】
ここで、ある利用者がカラオケ歌唱の場から退席する場合、当該ある利用者は、携帯端末を介し、カラオケシステム１からログアウトするための指示入力を行う（ステップ１２でＹの場合）。
【００４１】
処理部１００は、ある利用者からの指示入力に基づいて、カラオケシステム１からのログアウト処理を行う（ある利用者のログアウト処理。ステップ１３）。
【００４２】
ステップ１３のログアウト処理が、最初に行われたログアウト処理であった場合（ステップ１４でＹの場合）、画像送信部３００は、ステップ１３以降に取得したログイン利用者画像を、サーバ装置Ｓに送信する（ログイン利用者画像の送信。ステップ１５）。たとえば、利用者Ｕ１〜利用者Ｕ４がカラオケシステム１にログインした状態で、利用者Ｕ４がログアウトの指示入力を行ったとする。この場合、利用者Ｕ４からの指示入力に基づくログアウト処理は、最初に行われたログアウト処理である。
【００４３】
第１の配信部３０ａは、ステップ１３でログアウトしたある利用者の利用者識別情報に対応する端末識別情報に基づいて、サーバ装置Ｓから受信したログイン利用者画像を、ある利用者の携帯端末に配信する（ログイン利用者画像の配信。ステップ１６）。
【００４４】
一方、ステップ１３のログアウト処理が、最後に行われたログアウト処理であった場合（ステップ１７でＹの場合）、画像送信部３００は、ログイン利用者画像のサーバ装置Ｓへの送信を終了する（ログイン利用者画像の送信終了。ステップ１８）。たとえば、利用者Ｕ４がログアウトした後、利用者Ｕ１〜利用者Ｕ３がカラオケシステム１にログインした状態でカラオケ装置Ｋの利用時間が経過したとする。この場合、利用者Ｕ１、利用者Ｕ２、利用者Ｕ３の順番にログアウトの指示入力を行う。この際、利用者Ｕ３の指示入力に基づくログアウト処理は、最後に行われたログアウト処理である。
【００４５】
ステップ１８の処理に伴い、第１の配信部３０ａは、ログイン利用者画像の配信を終了する（ログイン利用者画像の配信終了。ステップ１９）。
【００４６】
以上から明らかなように、本実施形態に係るカラオケシステム１は、カラオケ装置Ｋとサーバ装置Ｓとが通信可能に接続されている。カラオケ装置Ｋは、利用者からの指示入力に基づいて、カラオケシステム１へのログイン処理、及びカラオケシステム１からのログアウト処理を行う処理部１００と、撮影装置Ｃを制御し、カラオケシステム１にログインしている利用者を撮影したログイン利用者画像を取得する撮影制御部２００と、取得したログイン利用者画像を、サーバ装置Ｓに送信する画像送信部３００と、を有する。サーバ装置Ｓは、利用者を識別するための利用者識別情報と、当該利用者が所有する携帯端末を識別するための端末識別情報とを関連付けて記憶する端末識別情報記憶部１０ａと、カラオケ装置Ｋを介して複数の利用者がカラオケシステム１にログインした後、ある利用者がログアウトをした場合、当該ある利用者の利用者識別情報に対応する端末識別情報に基づいて、受信したログイン利用者画像を当該ある利用者の携帯端末に配信する第１の配信部３０ａと、を有する。
【００４７】
このようなカラオケシステム１によれば、途中で退席した利用者は自己の携帯端末を介し、他の利用者がカラオケ歌唱する様子等を確認できる。よって、一人だけ先に帰宅する場合の寂しさを紛らわせ、カラオケ歌唱の場の雰囲気を引き続き楽しむことができる。すなわち、本実施形態に係るカラオケシステム１によれば、途中で退席した利用者がカラオケ歌唱する場の雰囲気を共有できる。
【００４８】
また、画像送信部３００は、最初にログアウト処理が行われたときから、全ての利用者のログアウト処理が行われるまでの間、ログイン利用者画像をサーバ装置Ｓに送信することが可能である。ログアウトした利用者が居ない場合、ログイン利用者画像を配信する必要がない。そこで、このような画像送信部３００によれば、配信が必要な場合にのみ、サーバ装置Ｓにログイン利用者画像を送信できる。
【００４９】
また、撮影制御部２００は、最初にログアウト処理が行われたときから、全ての利用者のログアウト処理が行われるまでの間、ログイン利用者画像を取得することが可能である。ログアウトした利用者が居ない場合、ログイン利用者画像を取得する必要がない。そこで、このような撮影制御部２００によれば、配信する画像のみを取得することができる。
【００５０】
また、ログイン利用者画像は、カラオケシステム１にログインしている利用者がカラオケ歌唱を行う姿を撮影した歌唱動画像であることが好ましい。このような歌唱動画像を見た利用者は、カラオケ歌唱の場の雰囲気をより実感し易くなる。
【００５１】
＜第２実施形態＞
次に、図６〜図８を参照して、第２実施形態に係るカラオケシステムについて説明する。本実施形態においては、カラオケシステムからログアウトした利用者が、引き続きカラオケ歌唱を行っている他の利用者（ログイン中の利用者）に向けて、自己の携帯端末で撮影した画像を配信する例について述べる。第１実施形態と同様の構成については詳細な説明を省略する。本実施形態に係る携帯端末は、撮影機能を有する。
【００５２】
＝＝サーバ装置＝＝
図６に示すように、本実施形態に係る制御部３０は、第１の配信部３０ａ及び第２の配信部３０ｂとして機能する。
【００５３】
［第２の配信部］
第２の配信部３０ｂは、ログイン利用者画像を配信した携帯端末から、当該携帯端末で得られたログアウト利用者画像を受信した場合、当該ログアウト利用者画像を、ログイン利用者画像を送信するカラオケ装置に配信する。
【００５４】
利用者は、自己の携帯端末の撮影機能を利用して様々な画像（動画像や静止画像）を取得できる。ログアウト利用者画像は、利用者が、カラオケシステム１からログアウトした後に撮影した画像である。
【００５５】
たとえば、第１実施形態で述べたように、カラオケ装置Ｋを介して利用者Ｕ１〜利用者Ｕ４がカラオケシステム１にログインした後、利用者Ｕ４がログアウトしたとする。この場合、第１の配信部３０ａは、カラオケ装置Ｋから受信したログイン利用者画像を利用者Ｕ４の携帯端末Ｍ４に配信する。利用者Ｕ４は、自身が退席した後、他の利用者がカラオケ歌唱する様子等を携帯端末Ｍ４の画面を通じて確認できる。
【００５６】
ここで、他の利用者がカラオケ歌唱する様子を見ていた帰宅途中の利用者Ｕ４が、他の利用者とのコミュニケーションを図るため、電車の待ち時間等に携帯端末Ｍ４の撮影機能を利用して自らを撮影（所謂、「自撮り」）したとする。利用者Ｕ４は、携帯端末Ｍ４を介して撮影した自らの画像（自撮り画像）をサーバ装置Ｓに送信する。第２の配信部３０ｂは、受信した自撮り画像を、携帯端末Ｍ４に配信しているログイン利用者画像を送信するカラオケ装置Ｋに配信する。自撮り画像を配信するカラオケ装置の特定は、装置ＩＤに基づいて行う。
【００５７】
なお、第２の配信部３０ｂは、最初にログアウト処理が行われたときから、全ての利用者のログアウト処理が行われるまでの間、ログアウト利用者画像を、ログイン利用者画像を送信するカラオケ装置に配信することができる。
【００５８】
＝＝カラオケ装置Ｋ＝＝
図７に示すように、本実施形態に係るカラオケ装置Ｋは、処理部１００、撮影制御部２００、画像送信部３００、及び表示処理部４００を有する。
【００５９】
［表示処理部］
表示処理部４００は、配信されたログアウト利用者画像を表示部に表示させる。表示部は、たとえば、カラオケ装置Ｋが備えるモニタである。ログアウト利用者画像を受信した場合、表示処理部４００は、モニタの表示領域の一部に当該ログアウト利用者画像を表示させる。或いは、カラオケ装置Ｋに複数のモニタが接続されている場合、表示処理部４００は、歌詞テロップや背景映像等、通常のカラオケ歌唱で利用する情報についてはメインモニタに表示させ、ログアウト利用者画像についてはサブモニタに表示させることでもよい。
【００６０】
＝＝カラオケシステムにおける処理について＝＝
次に、図８を参照して本実施形態に係るカラオケシステム１における処理の具体例について述べる。図８は、カラオケシステム１における処理例を示すフローチャートである。この例では、複数の利用者でカラオケ装置Ｋを利用するとする。また、カラオケシステム１から、ある利用者がログアウトした状態であり、当該ある利用者の携帯端末に対し、カラオケ装置Ｋで撮影されたログイン利用者画像が配信されているとする。
【００６１】
ログアウトした利用者は、自己の携帯端末を用いて自らを撮影したログアウト利用者画像をサーバ装置Ｓに送信する。サーバ装置Ｓは、ログアウト利用者画像を受信する（ログアウト利用者画像の受信。ステップ２０）。
【００６２】
第２の配信部３０ｂは、ステップ２０で受信したログアウト利用者画像を、ログイン利用者画像を送信するカラオケ装置Ｋに配信する（ログアウト利用者画像の配信。ステップ２１）。
【００６３】
表示処理部４００は、ステップ２１で配信されたログアウト利用者画像を表示部に表示させる（ログアウト利用者画像の表示。ステップ２２）。
【００６４】
一方、カラオケ装置Ｋを利用する全ての利用者がカラオケシステム１からログアウトした場合（ステップ２３でＹの場合）、第２の配信部３０ｂは、ログアウト利用者画像の配信を終了する（ログアウト利用者画像の配信終了。ステップ２４）。
【００６５】
表示処理部４００は、ログアウト利用者画像の表示を終了する（ログアウト利用者画像の表示終了。ステップ２５）。
【００６６】
以上から明らかなように、本実施形態に係るサーバ装置Ｓは、ログイン利用者画像を配信した携帯端末から、当該携帯端末で得られたログアウト利用者画像を受信した場合、当該ログアウト利用者画像を、ログイン利用者画像を送信するカラオケ装置Ｋに配信する第２の配信部３０ｂを有する。カラオケ装置Ｋは、配信されたログアウト利用者画像を表示部に表示させる表示処理部４００を有する。
【００６７】
ログアウト利用者画像をカラオケ装置Ｋに表示させることにより、途中で退席した利用者は、引き続きカラオケ歌唱を楽しんでいる利用者に自分の存在を確認させることができる。よって、一人だけ先に帰宅する場合の寂しさを紛らわせ、カラオケ歌唱の場の雰囲気を引き続き楽しむことができる。
【００６８】
また、第２の配信部３０ｂは、最初にログアウト処理が行われたときから、全ての利用者のログアウト処理が行われるまでの間、ログアウト利用者画像を、ログイン利用者画像を送信するカラオケ装置Ｋに配信する。
【００６９】
たとえば利用者Ｕ４は、カラオケシステム１からログアウトするまでは部屋Ｒに在席しているため、携帯端末Ｍ４で自らを撮影することはない。一方、利用者Ｕ４がログアウトした後、残りの利用者（利用者Ｕ１〜利用者Ｕ３）も全てカラオケシステム１からログアウトした場合には、カラオケ装置Ｋにログアウト利用者画像を配信する必要はない。そこで、このような第２の配信部３０ｂによれば、配信が必要な場合にのみ、カラオケ装置Ｋにログアウト利用者画像を配信できる。
【００７０】
＜その他＞
上記実施形態では、一のカラオケ装置の例について説明しているが、一のサーバ装置に対して複数のカラオケ装置があってもよい。その場合、サーバ装置は、カラオケ装置毎に上記実施形態で説明した処理を実行する。
【００７１】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７２】
１  カラオケシステム
１０ａ  端末識別情報記憶部
３０ａ  第１の配信部
３０ｂ  第２の配信部
１００  処理部
２００  撮影制御部
３００  画像送信部
４００  表示処理部
Ｋ  カラオケ装置
Ｓ  サーバ装置
【図１】
2020071287.tif 000003
【図２】
2020071287.tif 000004
【図３】
2020071287.tif 000005
【図４】
2020071287.tif 000006
【図５】
2020071287.tif 000007
【図６】
2020071287.tif 000008
【図７】
2020071287.tif 000009
【図８】
2020071287.tif 000010